(57)【要約】【課題】釣り糸と絡まったり、水中における様々なルアーの動きと干渉したりすることを防ぐ釣り用アクセサリを提供する。【解決手段】本発明によれば、釣り用アクセサリにおいて、第１保持部と、第２保持部と、第１保持部と第２保持部が異なる平面で互いにずれた状態で、第１保持部と第２保持部とを連結する連結部とを備えている。【選択図】図２
2016523521.tif 000002
【特許請求の範囲】
【請求項１】
第１保持部と、
第２保持部と、
前記第１保持部と前記第２保持部が異なる平面で互いにずれた状態で、前記第１保持部と前記第２保持部とを連結する連結部と
を備えた釣り用アクセサリ。
【請求項２】
前記第１保持部と前記第２保持部は鋭角に配置されている
請求項１記載の釣り用アクセサリ。
【請求項３】
前記鋭角の角度は３０度から６０度の範囲内である
請求項２記載の釣り用アクセサリ。
【請求項４】
前記第１保持部と前記第２保持部は略直角に配置されている
請求項１記載の釣り用アクセサリ。
【請求項５】
前記第１保持部と前記第２保持部は、所定の位置に取り付けられる他の部品を保持するための形状に形成されている
請求項１〜４のいずれか一項に記載の釣り用アクセサリ。
【請求項６】
前記第１保持部及び前記第２保持部の少なくとも一方に穴が形成されている
請求項１〜５のいずれか一項に記載の釣り用アクセサリ。
【請求項７】
前記第１保持部及び前記第２保持部の少なくとも一方に分割リングが形成されている
請求項１〜６のいずれか一項に記載の釣り用アクセサリ。
【請求項８】
前記第１保持部及び前記第２保持部の少なくとも一方がＵ字状に形成されている
請求項１〜７のいずれか一項に記載の釣り用アクセサリ。
【請求項９】
前記第１保持部及び前記第２保持部の少なくとも一方がＣ字状に形成されている
請求項１〜８のいずれか一項に記載の釣り用アクセサリ。
【請求項１０】
前記第１保持部及び前記第２保持部の少なくとも一方が螺旋状に形成されている
請求項１〜９のいずれか一項に記載の釣り用アクセサリ。
【請求項１１】
前記第１保持部及び前記第２保持部の少なくとも一方が肘の形状に形成されている
請求項１〜１０のいずれか一項に記載の釣り用アクセサリ。
【請求項１２】
前記連結部は、前記第１保持部の端部と前記第２保持部の端部との間を接続するように形成された延在部を有する
請求項６又は７記載の釣り用アクセサリ。
【請求項１３】
前記連結部は、前記第１保持部と前記第２保持部を延在させた端部が開放端となるように延在した一対の延在部を有する
請求項８〜１１のいずれか一項に記載の釣り用アクセサリ。
【請求項１４】
前記一対の延在部の少なくとも一方は、保持部への取付を許可するオープン状態と保持状態から部品を取り外すことを禁止するクローズ状態とを切り替え可能な接続部を有している
請求項１３記載の釣り用アクセサリ。
【請求項１５】
前記接続部は、前記クローズ状態を保ちやすくなるよう形成されている
請求項１４記載の釣り用アクセサリ。
【請求項１６】
前記延在部は、前記連結部の周囲で共通の軸をもち、広がりの形状に形成された複数のより糸を有している
請求項１２〜１５のいずれか一項の釣り用アクセサリ。
【請求項１７】
前記連結部はスライド可能な重りを有している
請求項１〜１６のいずれか一項に記載の釣り用アクセサリ。
【発明の詳細な説明】
【技術分野】
【０００１】
本発明は、釣り針、ルアー、および釣り糸に様々なアレンジで取りつける際に使用されるアクセサリに関する。
【背景技術】
【０００２】
発明者は、釣り針、釣り糸、ルアー、重り、又は同様の釣り用具のアレンジメントの際に、交差しても留める留め具や網状で留める留め具を使用することに着目した。現在利用されている釣り用留め具は、一平面（single plane）で配置されるという特徴をもっていた。このような一平面で配置されるという問題は、糸、ルアー、又はおもりなどに取り付けられる部品と自由に回転して接続するために、旋回させることで解決してもよい。
一般的な方法では、分割リング（split ring）を使って、三重のフックをトローリングルアー（trolling lures）に取り付ける方法がある。しかしながら、１つのフックがルアーに対して同様に取り付けられた時に、ルアーに対してフックの方向性が無くなるという問題があった。フックに方向性を持たせるために、ルアーに対して１つのフックの方向性が正しい方向になるように、追加の分割リングを挿入することも考えられる。しかしながら、このように多重の分割リングを使用した場合には、釣り糸と絡まったり、水中における様々なルアーの動きと干渉したりする、という問題があった。
【発明の概要】
【発明が解決しようとする課題】
【０００３】
本発明は、上記に挙げた問題の少なくとも１つを解決するために構成された、釣り針又はルアーなどを提供することを目的とする。
【課題を解決するための手段】
【０００４】
本発明の実施形態に係る釣り用アクセサリは、第１保持部と、第２保持部と、第１保持部と第２保持部が異なる平面で互いにずれた状態で、第１保持部と第２保持部とを連結する連結部とを備えている。
【０００５】
第１保持部と第２保持部は略直角に配置されてもよい。第１保持部と第２保持部は鋭角に配置されてもよい。第１保持部と第２保持部は肘の形状に形成されてもよい。第１保持部と第２保持部には、穴及び/又は分割リングが形成されていてもよい。当該穴の内部には、釣り針が設けられる。第１保持部と第２保持部は、部品を保持するために適切な形状及び大きさに形成されていてもよい。一対の保持部は、同様の構成でも、異なる構成であってもよい。
【０００６】
連結部は、クローズ状態を固定する際に、保持部の端部間を接続するように構成された一対の延在部を有してもよい。
【０００７】
第１延在部と第２延在部は、保持部への取付を許可するオープン状態と保持状態から部品を取り外すことを禁止するクローズ状態とを切り替え可能な接続部を有してもよい。
【０００８】
連結部は、連結部上でスライド可能な取付部を有している。
【０００９】
取付部には、複数のより糸を有した円筒上の基部が形成されてもよく、当該複数のより糸は基部２の周囲で共通軸をもつように構成されている。基部の端部には、曲げるためのキャップが固定されており、ダスターになるよう構成されている。より糸は、接着又は結び目等の方法で、基部に固定されている。
【００１０】
連結部はスライド可能な重りを有してもよい。
【００１１】
本発明の実施形態に係るアクセサリの一例は、釣り針をルアーに取り付けるためのアクセサリである。当該アクセサリは、「ｕ」状の留め具を保持する第１保持部及び釣り針を保持する第２保持部によって、ルアーの「ｕ」状の留め具に接続されている。第１保持部は分割リングで形成されており、第２保持部は肘の形状に形成されている。これにより、保持部における互いの面が異なる面となることで、ルアーに対する複数の位置を正しい配置とすることができる。
【００１２】
本発明の実施形態において、第１保持部は、分割リングを保持するために、肘の形に形成されることで、アクセサリを「ｕ」状の留め具に接続できる。また、本実施形態において、第１保持部及び第２保持部は共に分割リングで形成されてもよく、保持部は、互いの保持部が同一面に配置されるように、連結部により連結されてもよい。
【図面の簡単な説明】
【００１３】
【図１】図１は、本発明の第１実施形態による釣り用アクセサリの斜視図である。
【図２】図２は、本発明の第２実施形態による釣り用アクセサリの斜視図である。
【図３】図３は、本発明の第３実施形態による釣り用アクセサリの斜視図である。
【図４】図４は、本発明の第４実施形態による釣り用アクセサリの斜視図である。
【図５】図５は、図４に示す釣り用アクセサリを使用する際の斜視図である。
【図６】図６は、本発明の第５実施形態による釣り用アクセサリの斜視図である。
【発明を実施するための形態】
【００１４】
図１から図３に示すように、釣り用アクセサリ１０は、第１保持部（first retaining formation）１２、第２保持部（second retaining formation）１４、第１保持部と第２保持部との間を連結するための連結部（linking formation）１６、１８、２０を備えることで、互いに異なる平面でずれる（offset）ように構成されている。本発明の好ましい実施形態として、保持部１２、１４は互いに、おおむね直角するように配置されている。
【００１５】
図１に示すように、第１保持部１２及び第２保持部１４は異なる形状で形成されている。第１保持部１２はひじのような形状に形成され、第２保持部１４は半円又は「ｃ」の形状になるように形成されている。
【００１６】
図２に示すように、第１保持部１２及び第２保持部１４は同様の形状に形成されてもよい。図２に示すように、第１保持部１２及び第２保持部１４は「ｃ」の形状になるように形成されている。図３に示すように、第１保持部１２及び第２保持部１４は「ｕ」の形状になるように形成されている。第１保持部１２及び第２保持部１４は螺旋状に形成されている。
【００１７】
連結部は、保持部１２と保持部１４の各一端の間を接続するように伸びた延在部１６、及び、保持部１２と保持部１４の各一端の間を接続するように伸びた延在部１８、２０を備えている。一対の延在部１８、２０は、部品（article）の保持機能の無い状態であるオープン状態と部品の保持機能を有した状態であるクローズ状態とを切り替え可能な接続部（access arrangement）２２を有している。
【００１８】
延在部１８、２０は、部品を内部に保持するために、一対の延在部がオープン状態を保ちやすくなるような部分を含んでいる。
【００１９】
図４及び図５に示すように、一対の延在部のうち一方の延在部１１３は、穴（eyelet）１１５の形をとるために、部材１１２に巻き付かれている。穴１１５は、穴１１５の中に釣り針１１６が入るように形成されている。本実施形態において、他方の連結部１１８は、分割リング１１９の形状となるように、コイル状に形成されている。分割リング１１９は、図５に示すように、ルアー１２０の、「ｕ」状の留め具のような部品が、取り外し可能な状態で保持するためのリングである。
【００２０】
穴１１５及び分割リング１１９は、互いに異なる平面でずれた（offset）状態で、結合部（linkage）１１２により連結されている。穴１１５及び分割リング１１９による異なる平面のずれは、約９０度の範囲内である。
【００２１】
互いに固定された位置に対してずらして配置することで、ルアーに対して１つのフックの方向が正しくなるため、追加の分割リングを結合することなく釣りの際には１方向に高確率で合わせることができ、ルアーに対して１つのフックの方向性が定まらなくなるという問題を解決することができる。
【００２２】
釣り用アクセサリのさらなる形態として、図６に示すように、両方の保持部に穴２１０、２１２が形成されている。本実施形態では、延在部２１５は、図１から図５のようにずらすことなく、同様の平面で、穴２１０と穴２１２との間を連結している。穴２１０が分割リング２２０を介してルアー２１６に接続されることで、釣り針２１４とルアー２１６が正しい配置になっている。
【００２３】
延在部２１８は、円筒上の基部（cylindrical base）２２２を形成するための取付部を有している。円筒上の基部２２２は延在部２１８上でスライドできるように構成されている。円筒上の基部２２２は、基部２２２の周囲で共通軸をもつように（co-axially）構成された、複数のより糸（strand）２２４を有している。基部２２２の端部には、曲げるためのキャップ２２６が固定されており、基部２２２は、より糸２２４が広がった形状で分離するように、設けられている。これにより、ダスター（duster）を構成している。より糸２２４は、接着、結び目、又は他の適切な方法で、基部に固定されている。
【００２４】
延在部２１８は、スライド可能な重り（図示しない）を有してもよい。
【００２５】
上記の説明は本発明を説明するための一例にすぎず、本発明の当業者の理解を助ける物であって、本発明の解釈範囲を限定するものではない。
【図１】
2016523521.tif 000003
【図２】
2016523521.tif 000004
【図３】
2016523521.tif 000005
【図４】
2016523521.tif 000006
【図５】
2016523521.tif 000007
【図６】
2016523521.tif 000008
【国際調査報告】
2016523521.tif 000009
2016523521.tif 000010
2016523521.tif 000011
2016523521.tif 000012